(57)【要約】【構成】生体由来材料等からなる人工皮膚や人工粘膜２によりその全体又は一部を構成してなるコンドーム１。【効果】人の皮膚に近い人工粘膜又は人工皮膚が使用されているので、装着による違和感が軽減されその使用の増大が期待されエイズや性感染症の低減に貢献することができる。【選択図】        図１
2004321602.tif 000002
【特許請求の範囲】
【請求項１】
人工粘膜又は人工皮膚によりその全体を又はその一部を構成してなることを特徴とするコンドーム。
【請求項２】
コンドームが、外側全体と亀頭部内部を人工粘膜又は人工皮膚により構成してなることを特徴とする、請求項１に記載のコンドーム。
【請求項３】
コンドームが、生体由来材料及び／又は合成高分子材料からなる人工皮膚から形成されてなることを特徴とする、請求項１又は２に記載のコンドーム。
【発明の詳細な説明】
【０００１】
【発明の属する技術分野】
本発明は、コンドームに関し、特に、装着による違和感を軽減してなる等の利点を有するコンドームに関するものである。
【０００２】
【従来の技術】
コンドームは、主に、避妊具として、又、性行為感染防止具として使用されているが、コンドームの装着は、本来の快感を損なうということでその使用を嫌う人が多く、不特定多数の性行為によるエイズなどの感染経路にもなっている。
【０００３】
【発明が解決しようとする課題】
本発明は、上記のような従来技術の有する欠点を解消することができる技術を提供することを目的としたものである。
本発明の他の目的および新規な特徴は以下の明細書及び図面の記載からも明らかになるであろう。
【０００４】
【課題を達成するための手段】
本発明は、人工粘膜又は人工皮膚によりその全体を又はその一部を構成してなることを特徴とするコンドームに係るものであり、その好ましい実施態様として、コンドームが、外側全体と亀頭部内部を人工粘膜又は人工皮膚により構成してなること、又、当該コンドームが、生体由来材料及び／又は合成高分子材料からなる人工皮膚から形成されてなることを特徴とするものである。
【０００５】
【実施の最良の形態】
図１（Ａ）は、本発明の実施例を示すコンドームの断面図、図１（Ｂ）は、本発明の他の実施例を示すコンドームの断面図、図２（Ａ）は、本発明の更に他の実施例を示すコンドームの側面図、図２（Ｂ）は、同コンドームの断面図、図３は、本発明の更に又他の実施例を示すコンドームの断面図である。
【０００６】
【実施例】
本発明のコンドーム１は、その全体を人工粘膜又は人工皮膚２により構成してもよいし、又、その一部を、人工粘膜又は人工皮膚により構成し、他の部分を、従前の材料から構成してもよい。更に、従前の材料層と人工粘膜又は人工皮膚層との重層（ラミネート）物としてもよい。
【０００７】
図２（Ａ）、（Ｂ）は、コンドーム１の全体を人工粘膜又は人工皮膚２により構成してなる例を示し、当該コンドーム１は、液溜部３と本体部４と開口縁部５とを有してなり、当該コンドーム１は、本体部４、液溜部３及び開口縁部５の全体が人工粘膜又は人工皮膚２により構成してなる
【０００８】
図１（Ａ）は、コンドーム本体部４の外側の略全体を人工粘膜又は人工皮膚層２により構成し、一方、その内部は、亀頭部４０のみを人工粘膜又は人工皮膚層２により構成し、他の部分６は、従前の材料により構成してなるコンドーム１の例を示す。装着による違和感に対する影響の大きな部分を人工粘膜又は人工皮膚層により構成し、当該装着による違和感を効率的に取り除くことが出来る。
又、図１（Ｂ）は、コンドーム１における男性性器の亀頭部４０のみを人工粘膜又は人工皮膚層２により構成してなる例を示し、前記実施例と同様に装着による違和感を効率的に取り除くことが出来る。
【０００９】
図３は、従前の材料からなる中間層６の内外両面に人工粘膜又は人工皮膚層２を重層してなる例を示し、従前の材料からなる層６に人工粘膜又は人工皮膚層２をラミネートすることにより形成することができる。
【００１０】
本発明で使用される人工粘膜又は人工皮膚の概念について説明するに、当該人工粘膜（人工皮膚）は、人の場合、ひどい火傷などで皮膚の移植が必要な時に用いられ、人体に使用されても拒絶反応を起こさないようなものが使用される。
ここに、人の皮膚は、外側から「表皮・真皮・皮下組織」の３層から成り立っており、表皮の一番下にある「基底層」には、「基底細胞」と呼ばれる細胞が並び、常に細胞分裂を行って、新しい細胞を作っている。この場合、例えば、火傷で表皮だけが障害された場合は、基底細胞が残っているため、数日で新しい表皮が再生されるが、基底層まで障害されると、新しい皮膚はなかなか再生されず、特に、真皮の深くまで侵された「重症の火傷」では、皮膚再生が期待できない上に、細菌に感染したり、血液などの体液が体外に流出する危険がある。そこで、損なわれた部分に新しい皮膚を補う「皮膚移植」が必要になり、患者自身の健康な皮膚を移植する「自家移植」、他人の皮膚を移植する「同種移植」、そして、ブタの皮膚などを応急処置として移植する「異種移植」の３つが、通常、皮膚移植の方法として用いられている。この場合、自分の組織を使う自家移植は、拒絶反応がなく、スムーズに生着するので、皮膚移植のなかでは最適なのであるが、狭い面積しか切り取れないという欠点があり、そこで、自家移植の欠点をカバーする方法として登場してきたのが、「培養皮膚」と呼ばれる人工皮膚である。
ここに、「培養皮膚」とは、人の場合、患者の健康な細胞を採取し、それを増殖させてつくった人工皮膚であり、本人の細胞を使うため、拒絶反応がなく、自由な大きさの人工皮膚をつくることができる。
従来は、健康な皮膚から細胞を採取して培養していたが、この方法は、葉書大の皮膚をつくるのに多大の日数がかかること、又、移植せずにいると皮膚細胞が死んで硬くなる（角化）という２つの欠点があり、そこで考え出されたのが、口の中などの「粘膜細胞」を増殖させて、人工皮膚をつくる方法で、粘膜細胞は、ある場所に移植されると、その場所の組織になじみ、そこの細胞として、姿や性格を変えて成長するという性質があり、従って、皮膚に移植すれば、皮膚細胞として成長する。しかも、粘膜細胞は増殖が早く、比較的に短い日数で、葉書大の人工皮膚ができ、通常は角化することがない。
【００１１】
上記は、自己皮膚で人体の細胞から得られるが、本発明で使用される人工粘膜又は人工皮膚には、当該人体の細胞から得られる自己皮膚を除く代用皮膚が使用される。
本発明で使用される人工粘膜又は人工皮膚の例としては、  生体由来材料及び／又は合成高分子材料からなる人工粘膜又は人工皮膚基材が挙げられる。
ここに、当該生体由来材料の例としては、コラーゲン、アテロコラーゲン、ゼラチン、フィブロネクチン、ラミニン、デルマタン硫酸、ヘパラン硫酸、コンドロイチン硫酸、ヒアルロン酸、ヘパリン、キチン、キサトン及びアルギン酸カルシウム等が挙げられる。
又、当該合成高分子材料の例としては、ナイロン、シリコーン樹脂、弗素樹脂、ポリカーボネート、ポリウレタン及びポリ塩化ビニル等が挙げられる。
当該人工皮膚基材は、フィルム、シート、不織布、スポンジ、マイクロ担体等の形態を呈していればよい。
当該人工皮膚（人工粘膜）基材は、生体由来材料を当該合成高分子材料にコートしたものでもよい。
当該人工皮膚基材は、例えば、上記コラーゲン等の生体由来材料をスポンジ状にして形成したり、生体由来材料及び／又は合成高分子材料の表面上に、表皮細胞や線維芽細胞といった皮膚細胞を培養してシート状に加工して製造することができる。得られた人工皮膚基材は、代用皮膚として使用するので、当該生体由来材料及び／又は合成高分子材料は、その生体に対する適合性を考慮して選択される。
当該人工皮膚基材は、その強度の補強のために、補強剤などを使用することもできる。
【００１２】
本発明に使用される従前の材料としては、天然ゴム、ポリウレタンなどが挙げられる。
【００１３】
本発明は、前記実施例に限定されず各種変更が可能である。
【００１４】
【発明の効果】
本願において開示される発明のうち代表的なものによって得られる効果を簡単に説明すれば、下記のとおりである。
すなわち、本発明によれば、コンドームの全体や一部に、人の皮膚に近い人工粘膜又は人工皮膚が使用されているので、装着による違和感が軽減され、その使用の増大が期待され、エイズや性感染症の低減に貢献することができる。
【図面の簡単な説明】
【図１】図１（Ａ）は、本発明の実施例を示すコンドームの断面図、図１（Ｂ）は、本発明の他の実施例を示すコンドームの断面図である。
【図２】図２（Ａ）は、本発明の更に他の実施例を示すコンドームの側面図、図２（Ｂ）は、同コンドームの断面図である。
【図３】本発明の更に又他の実施例を示すコンドームの断面図である。
【符号の説明】
１…コンドーム
２…人工粘膜又は人工皮膚
３…液溜部
４…コンドーム本体部
５…開口縁部
６…従前の材料層
４０…亀頭部
【図１】
2004321602.tif 000003
【図２】
2004321602.tif 000004
【図３】
2004321602.tif 000005